(57)【要約】【課題】印刷装置が有する機能の情報が取得できない接続環境においても、印刷指示が実行される際に印刷装置が有する機能を把握する。【解決手段】  判定部２３は、機能情報を参照して、指示部２２により画像形成装置３０に対して実行が指示された印刷ジョブにおいて不明な機能を用いる指示が行われているか否かを判定する。不明な機能を用いる指示が行われている場合に、受付部２４は画像形成装置３０により出力された印刷用紙に不明な機能が実行されているか否かを示す情報を受け付ける。受付部２４が不明な機能が実行されていることを示す情報を受け付けた場合には、情報変更部２６は、画像形成装置３０の機能情報を画像形成装置３０が不明な機能を有していない旨の情報に変更する。【選択図】図３
2013152674.tif 000002
【特許請求の範囲】
【請求項１】
印刷装置の機能の有無を示す情報である機能情報を記憶する記憶手段と、
前記印刷装置に対して印刷指示を行う指示手段と、
前記指示手段により行われた印刷指示において、前記機能情報に機能の有無が示されていない不明な機能を用いる指示が行われているか否かを判定する判定手段と、
前記判定手段により印刷指示において前記不明な機能を用いる指示が行われていると判定された場合に、前記指示手段により印刷指示が行われた印刷装置の出力結果に前記不明な機能が実行されているか否かを示す情報を受け付ける受付手段と、
前記受付手段により前記印刷装置の出力結果に前記不明な機能が実行されていることを示す情報を受け付けた場合には、前記機能情報を前記印刷装置が前記不明な機能を有している旨の情報に変更し、前記印刷装置の出力結果に前記不明な機能が実行されていないことを示す情報を受け付けた場合には、前記機能情報を前記印刷装置が前記不明な機能を有していない旨の情報に変更する変更手段と、
を有する印刷指示装置。
【請求項２】
前記変更手段は、前記機能情報を前記印刷装置が前記不明な機能を有していない旨の情報に変更した場合に、前記機能情報を前記印刷装置が前記不明な機能と関連する機能も有していない旨の情報に変更する請求項１記載の印刷指示装置。
【請求項３】
前記印刷指示において前記不明な機能を用いる指示が行われていると前記判定手段により判定された場合に、前記指示手段により印刷指示が行われた印刷装置の出力結果に前記不明な機能が実行されているか否かを使用者に確認する表示を行う表示手段を有する請求項１または２に記載の印刷指示装置。
【請求項４】
前記表示手段は、前記印刷装置に実行させる機能の一覧を表示し、前記変更手段により前記印刷装置が前記不明な機能を有していない旨の情報に前記機能情報が変更された場合に、前記表示手段が表示している機能の一覧のうち前記不明な機能を表示しないようにする請求項３記載の印刷指示装置。
【請求項５】
印刷装置の機能の有無を示す情報である機能情報を記憶するステップと、
前記印刷装置に対して印刷指示を行うステップと、
前記印刷指示において、前記機能情報に機能の有無が示されていない不明な機能を用いる指示が行われているか否かを判定するステップと、
前記印刷指示において前記不明な機能を用いる指示が行われていると判定された場合に、前記印刷指示が行われた印刷装置の出力結果に前記不明な機能が実行されているか否かを示す情報を受け付けるステップと、
前記印刷装置の出力結果に前記不明な機能が実行されていることを示す情報を受け付けた場合には、前記機能情報を前記印刷装置が前記不明な機能を有している旨の情報に変更し、前記印刷装置の出力結果に前記不明な機能が実行されていないことを示す情報を受け付けた場合には、前記機能情報を前記印刷装置が前記不明な機能を有していない旨の情報に変更するステップと、
をコンピュータに実行させるためのプログラム。
【発明の詳細な説明】
【技術分野】
【０００１】
本発明は、印刷指示装置およびプログラムに関する。
【背景技術】
【０００２】
特許文献１には、デジタルカメラからプリンタに印刷指示を行う際に、プリンタがどの機能に対応しているかを問い合わせて、プリンタが有している機能の中から利用する機能を選択して印刷を実行する技術が開示されている。
【０００３】
特許文献２には、複数の演算処理装置の機能や性能を登録しておき、この機能や性能が登録されている複数の演算処理装置により印刷ジョブを実行する技術が開示されている。
【先行技術文献】
【特許文献】
【０００４】
【特許文献１】特開２００５−５９３０５号公報
【特許文献２】特開平９−２５８９２６号公報
【発明の開示】
【発明が解決しようとする課題】
【０００５】
本発明の目的は、印刷装置が有する機能の情報が取得できない接続環境においても、印刷指示が実行される際に印刷装置が有する機能を把握することが可能な印刷指示装置を提供することである。
【課題を解決するための手段】
【０００６】
請求項１に係る本発明は、印刷装置の機能の有無を示す情報である機能情報を記憶する記憶手段と、
前記印刷装置に対して印刷指示を行う指示手段と、
前記指示手段により行われた印刷指示において、前記機能情報に機能の有無が示されていない不明な機能を用いる指示が行われているか否かを判定する判定手段と、
前記判定手段により印刷指示において前記不明な機能を用いる指示が行われていると判定された場合に、前記指示手段により印刷指示が行われた印刷装置の出力結果に前記不明な機能が実行されているか否かを示す情報を受け付ける受付手段と、
前記受付手段により前記印刷装置の出力結果に前記不明な機能が実行されていることを示す情報を受け付けた場合には、前記機能情報を前記印刷装置が前記不明な機能を有している旨の情報に変更し、前記印刷装置の出力結果に前記不明な機能が実行されていないことを示す情報を受け付けた場合には、前記機能情報を前記印刷装置が前記不明な機能を有していない旨の情報に変更する変更手段と、
を有する印刷指示装置である。
【０００７】
請求項２に係る本発明は、前記変更手段が、前記機能情報を前記印刷装置が前記不明な機能を有していない旨の情報に変更した場合に、前記機能情報を前記印刷装置が前記不明な機能と関連する機能も有していない旨の情報に変更する請求項１記載の印刷指示装置である。
【０００８】
請求項３に係る本発明は、前記印刷指示において前記不明な機能を用いる指示が行われていると前記判定手段により判定された場合に、前記指示手段により印刷指示が行われた印刷装置の出力結果に前記不明な機能が実行されているか否かを使用者に確認する表示を行う表示手段を有する請求項１または２に記載の印刷指示装置である。
【０００９】
請求項４に係る本発明は、前記表示手段が、前記印刷装置に実行させる機能の一覧を表示し、前記変更手段により前記機能情報を前記印刷装置が前記不明な機能を有していない旨の情報に変更された場合に、前記表示手段が表示している機能の一覧のうち前記不明な機能を表示しないようにする請求項３記載の印刷指示装置である。
【００１０】
請求項５に係る本発明は、印刷装置の機能の有無を示す情報である機能情報を記憶するステップと、
前記印刷装置に対して印刷指示を行うステップと、
前記印刷指示において、前記機能情報に機能の有無が示されていない不明な機能を用いる指示が行われているか否かを判定するステップと、
前記印刷指示において前記不明な機能を用いる指示が行われていると判定された場合に、前記印刷指示が行われた印刷装置の出力結果に前記不明な機能が実行されているか否かを示す情報を受け付けるステップと、
前記印刷装置の出力結果に前記不明な機能が実行されていることを示す情報を受け付けた場合には、前記機能情報を前記印刷装置が前記不明な機能を有している旨の情報に変更し、前記印刷装置の出力結果に前記不明な機能が実行されていないことを示す情報を受け付けた場合には、前記機能情報を前記印刷装置が前記不明な機能を有していない旨の情報に変更するステップと、
をコンピュータに実行させるためのプログラムである。
【発明の効果】
【００１１】
請求項１に係る本発明によれば、印刷装置が有する機能の情報が取得できない接続環境においても、印刷指示が実行される際に印刷装置が有する機能を把握することが可能な印刷指示装置を提供することができる。
【００１２】
請求項２に係る本発明によれば、請求項１に記載の発明により得られる効果に加えて、不明な機能と関連する機能の有無も把握することが可能な印刷指示装置を提供することができる。
【００１３】
請求項３に係る本発明によれば、請求項１または２に記載の発明により得られる効果に加えて、使用者は不明な機能の有無の入力が必要であることを知ることが可能な印刷指示装置を提供することができる。
【００１４】
請求項４に係る本発明によれば、請求項３に記載の発明により得られる効果に加えて、印刷装置が有していない機能を用いた印刷指示を行えないようにすることが可能な印刷指示装置を提供することができる。
【００１５】
請求項５に係る本発明によれば、印刷装置が有する機能の情報を取得できない環境でも、印刷指示が実行される際に印刷装置が有する機能を把握することが可能なプログラムを提供することができる。
【図面の簡単な説明】
【００１６】
【図１】本発明の一実施形態における画像形成システムを示す図である。
【図２】本発明の一実施形態における印刷指示装置２のハードウェア構成を示すブロック図である。
【図３】本発明の一実施形態における印刷指示装置２の機能構成を示すブロック図である。
【図４】本発明の一実施形態における印刷指示装置２の全体的な動作の流れを示すフローチャートである。
【図５】本発明の一実施形態における出力先の画像形成装置を指定する画面の一例を示す図である。
【図６】本発明の一実施形態における印刷メニューの画面の一例を示す図である。
【図７】本発明の一実施形態におけるスタンプ設定の画面の一例を示す図である。
【図８】本発明の一実施形態における後処理設定の画面の一例を示す図である。
【図９】本発明の一実施形態における色合い調整の画面の一例を示す図である。
【図１０】本発明の一実施形態における機能情報の変更方法の流れを示すフローチャートである。
【図１１】本発明の一実施形態における変更前の各画像形成装置の機能情報の一例を示す図である。
【図１２】本発明の一実施形態における出力された印刷用紙に両面印刷が実行されているか否かを確認する画面の一例を示す図である。
【図１３】本発明の一実施形態における変更後の各画像形成装置の機能情報の一例を示す図である。
【図１４】本発明の一実施形態において機能情報が変更された後の印刷メニューの画面の一例を示す図である。
【図１５】本発明の一実施形態における出力された印刷用紙にカラー印刷が実行されているか否かを確認する画面の一例を示す図である。
【図１６】本発明の一実施形態における変更後の各画像形成装置の機能情報の一例を示す図である。
【図１７】本発明の一実施形態において機能情報が変更された後の印刷メニューの画面の一例を示す図である。
【発明を実施するための最良の形態】
【００１７】
次に、本発明の実施の形態について図面を参照して詳細に説明する。
【００１８】
図１は本発明の一実施形態の画像形成システムを示す図である。
【００１９】
本実施形態における印刷指示装置２は、ネットワーク１０を介して画像形成装置３０〜３２と接続されている。
【００２０】
印刷指示装置２は、ＩＰ（インターネット・プロトコル）アドレスなどの情報を用いて、インターネットやＬＡＮ（ローカル・エリア・ネットワーク）等のネットワーク１０を介して印刷機能、ファクシミリ機能、スキャナ等を有する画像形成装置（印刷装置）３０〜３２に対して機能の有無の情報を問い合わせる。なお、本実施形態において、画像形成装置３０、３１の通信方法は、印刷指示装置２から情報の受信のみを行い、印刷指示装置２からの問い合わせに応じて機能の有無の情報などを送信することができない片方向通信である。また、画像形成装置３２は、印刷指示装置２からの問い合わせに応じて自機の機能の有無の情報をネットワーク１０を介して印刷指示装置２に送信する構成を有する。
【００２１】
また、印刷指示装置２は、ネットワーク１０を介して印刷ジョブの実行を画像形成装置３０〜３２に対して指示する。なお、このネットワーク１０は、クラウド・コンピューティングのようなサービスに利用される形態であってもよい。
【００２２】
そして、画像形成装置３０〜３２は、印刷指示装置２から受信した印刷ジョブに基づいて印刷を実行する。
【００２３】
次に、印刷指示装置２のハードウェアの構成を図２を参照して詳細に説明する。
【００２４】
印刷指示装置２は、図２に示されるように、ＣＰＵ１１、メモリ１２、ハードディスクドライブ（ＨＤＤ）等の記憶装置１３、ネットワーク１０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００２５】
ＣＰＵ１１は、メモリ１２または記憶装置１３に格納された制御プログラムに基づいて所定の処理を実行して、印刷指示装置２の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２６】
図３は、上記の制御プログラムが実行されることにより実現される印刷指示装置２の機能構成を示すブロック図である。
【００２７】
本実施形態における印刷指示装置２は、印刷ジョブ（印刷指示）の設定や出力先の画像形成装置（印刷装置）の指定などを画面に表示してユーザ（使用者）の操作を受け付けるタッチパネル等の表示操作部２１、指示部２２、判定部２３、受付部２４、記憶部２５、情報変更部２６により構成されている。
【００２８】
記憶部２５は、画像形成装置３０〜３２の機能の有無を示す情報である機能情報を記憶する。
【００２９】
指示部２２は、ネットワーク１０を介して出力先の画像形成装置に対して表示操作部２１により設定された印刷ジョブの実行の指示を行う。
【００３０】
判定部２３は、記憶部２５に記憶されている機能情報を参照して、指示部２１により出力先の画像形成装置に実行の指示が行われた印刷ジョブにおいて、出力先の画像形成装置の機能情報に機能の有無が示されていない不明な機能を用いる指示が行われているか否かを判定する。また、判定部２３は、印刷ジョブにおいて不明な機能を用いる指示が行われていると判定した場合に、表示操作部２１に対して出力結果に不明な機能が実行されているか否かをユーザに確認する表示を行うよう指示する。
【００３１】
受付部２４は、判定部２３によって印刷ジョブにおいて不明な機能を用いる指示が行われていると判定された場合に、出力先の画像形成装置の出力結果に不明な機能が実行されているか否かを示す情報をユーザによる表示操作部２１の操作を介して受け付ける。
【００３２】
情報変更部２６は、出力先の画像形成装置の出力結果に不明な機能が実行されている旨の情報を受付部２４が受け付けた場合には、機能情報を出力先の画像形成装置が不明な機能を有している旨の情報に変更し、出力先の画像形成装置の出力結果に不明な機能が実行されていない旨の情報を受付部２４が受け付けた場合には、機能情報を出力先の画像形成装置が不明な機能を有していない旨の情報に変更する。また、情報変更部２６は、機能情報を出力先の画像形成装置が不明な機能を有していない旨の情報に変更した場合、不明な機能と関連する機能も有していない旨の情報に変更する。
【００３３】
次に、本実施形態の印刷指示装置２における動作を図面を参照して詳細に説明する。
【００３４】
まず、印刷指示装置２の全体的な動作を図４に示すフローチャートを参照して説明する。
【００３５】
まず、表示操作部２１は、ユーザの操作によりネットワーク１０に接続されている画像形成装置３０〜３２の中から出力先の画像形成装置を指定する（ステップＳ１０１）。本実施形態においては、図５に示すように、表示操作部２１において出力先の画像形成装置を指定する画面が表示される。そして、ユーザは、表示操作部２１を操作することにより画像形成装置３０〜３２の中から出力先の画像形成装置を選択して、表示操作部２１の画面に表示されている「ＯＫ」を操作することにより出力先の画像形成装置の指定が完了する。例えば、出力先の画像形成装置として画像形成装置３０を指定する場合には、表示操作部２１の画面に表示されているプルダウンメニューの中から画像形成装置３０を選択して、「ＯＫ」を操作することで画像形成装置３０が出力先として指定される。
【００３６】
次に、表示操作部２１は、ユーザの操作によって出力先の画像形成装置に実行させる印刷ジョブを設定する（ステップＳ１０２）。ここで、表示操作部２１は、図６に示すように出力先の画像形成装置に実行させる機能の一覧である印刷メニューを画面に表示する。そして、ユーザは表示操作部２１を操作して印刷メニューから使いたい機能を選択して印刷ジョブを設定する。また、図６に示すように、両面印刷、カラーモード、用紙サイズの指定については、ユーザはプルダウンメニューにより所望する形態を選択する。例えば、両面印刷を行わないようにする場合には、ユーザは、画面に表示されている両面印刷の項目を操作し、プルダウンメニューから「しない」を選択する。
【００３７】
また、図６に示すように、オプション機能の設定を行う場合には、画面に表示されているスタンプ設定、後処理設定、色合い調整の項目が操作されることにより、表示操作部２１は、図７〜９に示されるような各機能の設定画面を表示する。
【００３８】
例えば、画像データの出力結果にマル秘などのスタンプを付加させたい場合には、図７に示すように、ユーザによって表示操作部２１に表示されているスタンプ設定の画面においてマル秘が選択された後、「ＯＫ」が操作されることにより設定が完了する。
【００３９】
また、画像データを出力した後、印刷用紙にステープル機能やパンチ機能等の後処理機能を実行させたい場合には、図８に示すように、ユーザは表示操作部２１を操作して後処理設定の画面において所望する後処理方法を選択する。例えば、ステープル機能を実行させたい場合には、後処理設定の画面におけるステープルの項目から「する」が選択された後、「ＯＫ」が操作されることにより設定が完了する。
【００４０】
さらに、印刷用紙に出力される画像の色合いを調整したい場合には、図９に示すように、ユーザにより表示操作部２１を操作して色合い調整の画面において所望する明度、彩度が設定された後、「ＯＫ」が操作されることにより設定が完了する。
【００４１】
これらの設定が完了した場合には、図６に示すような印刷メニューの画面に戻る。
【００４２】
そして、設定した印刷ジョブを出力先の画像形成装置に実行させたい場合、ユーザによって印刷メニューの画面における「ＯＫ」が操作されることにより、指示部２２は、出力先の画像形成装置に設定された印刷ジョブの実行を指示する。
【００４３】
そして、情報変更部２６は、出力先の画像形成装置により印刷ジョブが実行された結果に基づいて、後述する方法を用いて機能情報を変更する（Ｓ１０３）。
【００４４】
次に、ステップＳ１０３における機能情報を変更する方法について、図１０に示すフローチャートを参照して詳細に説明する。以下、本実施形態においては、ステップＳ１０１において出力先の画像形成装置として画像形成装置３０が指定され、ステップＳ１０２において両面印刷の項目を「する」、カラーモードの項目を「白黒」、用紙サイズの項目を「Ａ４」、スタンプ設定の項目を「なし」、後処理設定の各項目をそれぞれ「しない」というような印刷ジョブを設定した場合について説明する。
【００４５】
まず、判定部２３は、記憶部２５に記憶されている機能情報を参照して、指示部２２により指示された印刷ジョブにおいて、画像形成装置３０の機能情報に機能の有無が示されていない不明な機能を用いる指示が行われているか否かを判定する（ステップＳ２０１）。ここで、本実施形態において機能情報とは、図１１に示すように、画像形成装置３０〜３２それぞれの「カラー印刷」、「両面印刷」、「ステープル」、「パンチ」、「色合い調整」、「スタンプ」等の機能の有無を示す情報である。また、画像形成装置３０および画像形成装置３１は、印刷指示装置２からの印刷ジョブを受信するのみの片方向通信であり、印刷指示装置２の問い合わせに応じて機能の有無を送信することができないため、画像形成装置３０、画像形成装置３１の機能情報において全ての機能が不明な機能となっている。一方、印刷指示装置２から画像形成装置３２に対する問い合わせの結果、例えば通信障害や図示しない外部装置を利用する機能である場合など、何らかの原因によりカラー印刷機能および色合い調整機能の有無の情報が印刷指示装置２において取得されず、これらカラー印刷機能および色合い調整機能が画像形成装置３２の機能情報において不明な機能となっている。
【００４６】
従って、本実施形態においては、指示部２２により指示された印刷ジョブにおいて、画像形成装置３０の機能情報における不明な機能である両面印刷機能を用いる指示が行われているため、判定部２３は不明な機能を用いる指示が行われていると判定する。
【００４７】
次に、判定部２３により印刷ジョブにおいて両面印刷機能を用いる指示が行われていると判定された場合（ステップＳ２０１においてｙｅｓ）、指示部２２によって指示された印刷ジョブが画像形成装置３０により実行される（ステップＳ２０２）とともに、判定部２３は、画像形成装置３０により出力された印刷用紙に両面印刷機能が実行されているか否かをユーザに確認するための確認画面を表示するよう表示操作部２１に指示する。そして、表示操作部２１により図１２に示すような確認画面が表示されると（ステップＳ２０３）、受付部２４は、両面印刷機能が実行されているか否かを示す確認結果の受付を開始する（ステップＳ２０４）。
【００４８】
次に、受付部２４は、表示操作部２１が操作されることによって入力された印刷用紙において両面印刷機能が実行されているか否かを示す確認結果を受け付ける（ステップＳ２０５）。この時、ユーザは画像形成装置３０に赴き、出力された印刷用紙において両面印刷機能が実行されていることを確認した場合には、表示操作部２１を操作して、確認画面における「はい」を操作する。また、ユーザは、例えば出力された印刷用紙が片面印刷で出力されているというように、出力された印刷用紙において両面印刷機能が実行されていないことを確認した場合には、確認画面における「いいえ」を操作する。
【００４９】
そして、表示操作部２１において、確認画面における「いいえ」が操作された場合には（ステップＳ２０５においてｎｏ）、受付部２４は、表示操作部２１に入力された情報を出力された印刷用紙において両面印刷機能が実行されていないことを示す情報として受け付ける。そして、出力された印刷用紙において両面印刷機能が実行されていないことを示す情報を受付部２４が受け付けた場合、情報変更部２６は、図１３に示すように、画像形成装置３０の機能情報における両面印刷の項目を「不明」から「無」に変更する（ステップＳ２０６）。さらに、図１４に示すように、表示操作部２１は、印刷メニューにおいて両面印刷の項目を表示しないようにする。
【００５０】
また、表示操作部２１において、確認画面における「はい」が操作された場合には（ステップＳ２０５においてｙｅｓ）、受付部２４は、表示操作部２１に入力された情報を出力された印刷用紙において両面印刷機能が実行されていることを示す情報として受け付ける。そして、出力された印刷用紙において両面印刷機能が実行されていることを示す情報を受付部２４が受け付けた場合、情報変更部２６は、画像形成装置３０の機能情報における両面印刷の項目を「不明」から「有」に変更する（ステップＳ２０７）。
【００５１】
また、判定部２３により印刷ジョブにおいて両面印刷機能を用いる指示が行われていないと判定された場合（ステップＳ２０１においてｎｏ）、画像形成装置３０により指示部２２から指示された印刷ジョブが実行されて、この処理を終了する（ステップＳ２０８）。
【００５２】
次に、ステップＳ１０１において、表示操作部２１により、出力先の画像形成装置として画像形成装置３２が指定され、指示部２２により、ステップＳ１０２において両面印刷の項目を「しない」、カラーモードの項目を「カラー」、用紙サイズの項目を「Ａ４」、スタンプ設定の項目を「なし」、後処理設定の各項目をそれぞれ「しない」というような印刷ジョブが指示された場合について説明する。
【００５３】
まず、判定部２３は、画像形成装置３２に指示された印刷ジョブにおいて不明な機能を用いる指示が行われているか否かを判定する（ステップ２０１）。本実施形態においては、画像形成装置３２の機能情報においてカラー印刷機能が不明な機能であるため、不明な機能を用いる指示が行われていると判定される。
【００５４】
次に、判定部２３により、印刷ジョブにおいてカラー印刷機能を用いる指示が行われていると判定された場合（ステップＳ２０１においてｙｅｓ）、指示部２２によって指示された印刷ジョブが画像形成装置３２により実行される（ステップＳ２０２）とともに、判定部２３は、画像形成装置３２により出力された印刷用紙にカラー印刷機能が実行されているか否かをユーザに確認するための確認画面を表示するよう表示操作部２１に指示する。そして、表示操作部２１により図１５に示すような確認画面が表示されると（ステップＳ２０３）、受付部２４は、カラー印刷機能が実行されているか否かを示す確認結果の受付を開始する（ステップＳ２０４）。
【００５５】
次に、受付部２４は、表示操作部２１が操作されることによって入力された印刷用紙においてカラー印刷機能が実行されているか否かを示す確認結果を受け付ける（ステップＳ２０５）。ここで、ユーザは画像形成装置３２に赴き、出力された印刷用紙においてカラー印刷機能が実行されていることを確認した場合には、表示操作部２１を操作して、図１５に示す確認画面における「はい」を操作する。また、ユーザは、例えば出力された印刷用紙が白黒印刷で出力されているというように、出力された印刷用紙においてカラー印刷機能が実行されていないことを確認した場合には、表示操作部２１を操作して、図１５に示す確認画面における「いいえ」を操作する。
【００５６】
そして、表示操作部２１において、図１５に示す確認画面における「いいえ」が操作された場合には（ステップＳ２０５においてｎｏ）、受付部２４は、表示操作部２１に入力された情報を出力された印刷用紙においてカラー印刷機能が実行されていないことを示す情報として受け付ける。そして、出力された印刷用紙においてカラー印刷機能が実行されていないことを示す情報を受付部２４が受け付けた場合、情報変更部２６は、図１６に示すように、画像形成装置３２の機能情報におけるカラー印刷の項目を「不明」から「無」に変更する（ステップＳ２０６）。そして、図１７に示すように、表示操作部２１は、印刷メニューにおいてカラーモードの項目を表示しないようにする。
【００５７】
また、情報変更部２６は、機能情報においてカラー印刷機能と関連する機能が存在する場合には、画像形成装置３２の機能情報におけるカラー印刷機能と関連する機能の項目も「無」に変更する。ここで、関連する機能とは、不明な機能を制御するための機能、不明な機能を用いて実行する機能、不明な機能に付属している機能等である。つまり、関連する機能とは、ある機能が画像形成装置に備えられていない場合、物理的、構造上備えられていないことが明らかな機能である。本実施形態においては、色合い調整機能はカラー印刷機能を実行した場合において、出力された画像の色合いを制御するための機能であるため、色合い調整機能とカラー印刷機能が関連する機能となっている。
【００５８】
さらに、表示操作部２１は、図１７に示すように、表示操作部２１は、印刷メニューにおいてカラー印刷機能と関連する機能も表示しないようにする。本実施形態においては、色合い調整機能がカラー印刷機能と関連する機能であるため、情報変更部２６は、画像形成装置３２の機能情報における色合い調整機能の項目を「無」に変更し、表示操作部２１は、図１７に示すように、印刷メニューにおいて色合い調整の項目を表示しないようにする。
【００５９】
また、確認画面における「はい」が操作された場合には（ステップＳ２０５においてｙｅｓ）、受付部２４は、表示操作部２１に入力された情報を出力された印刷用紙においてカラー印刷機能が実行されていることを示す情報として受け付ける。そして、出力された印刷用紙においてカラー印刷機能が実行されていることを示す情報を受付部２４が受け付けた場合、情報変更部２６は、画像形成装置３２の機能情報におけるカラー印刷の項目を「不明」から「有」に変更して処理を終了する（ステップＳ２０７）。
【００６０】
また、判定部２３により、印刷ジョブにおいてカラー印刷機能を用いる指示が行われていないと判定された場合（ステップＳ２０１においてｎｏ）、画像形成装置３０により指示部２２から指示された印刷ジョブが実行されて、この処理を終了する（ステップＳ２０８）。
【００６１】
なお、本実施形態においては、機能情報を「カラー印刷」、「両面印刷」、「ステープル」、「パンチ」、「色合い調整」、「スタンプ」の有無を示す情報として説明したが、本発明は、その他の機能についても同様に適用することができる。
【００６２】
また、本実施形態において、不明な機能と関連する機能としてカラー印刷機能と色合い調整機能を用いて説明したが、本発明はこれに限定されるものではない。例えば、画像形成装置に後処理機能を装着できないことがわかった場合には、機能情報において、ステープル機能及びパンチ機能の項目がそれぞれ無に変更されるようにしてもよい。
【符号の説明】
【００６３】
２    印刷指示装置
１０    ネットワーク
１１    ＣＰＵ
１２    メモリ
１３    記憶装置
１４    通信ＩＦ
１５    ＵＩ装置
１６    制御バス
２１    表示操作部
２２    指示部
２３    判定部
２４    受付部
２５    記憶部
２６    情報変更部
３０〜３２    画像形成装置
【図１】
2013152674.tif 000003
【図２】
2013152674.tif 000004
【図３】
2013152674.tif 000005
【図４】
2013152674.tif 000006
【図５】
2013152674.tif 000007
【図６】
2013152674.tif 000008
【図７】
2013152674.tif 000009
【図８】
2013152674.tif 000010
【図９】
2013152674.tif 000011
【図１０】
2013152674.tif 000012
【図１１】
2013152674.tif 000013
【図１２】
2013152674.tif 000014
【図１３】
2013152674.tif 000015
【図１４】
2013152674.tif 000016
【図１５】
2013152674.tif 000017
【図１６】
2013152674.tif 000018
【図１７】
2013152674.tif 000019